(57)【特許請求の範囲】
【請求項１】
建設地とは別の場所で製造され建設地に搬送され他の建物ユニットと接合されてユニット建物の構築に用いられる浴室用建物ユニットにおいて、
浴室用建物ユニットに取り付けられた防水パンおよび下地壁を備え、
前記下地壁には仕上材が取り付けられていないことを特徴とする浴室用建物ユニット。
【請求項２】
前記防水パンの排水口に排水部材が設けられていることを特徴とする請求項１に記載の浴室用建物ユニット。
【請求項３】
建設地とは別の場所で製造され建設地に搬送および他の建物ユニットと接合されて構築されるユニット建物の浴室の形成方法において、
前記製造の段階で浴室用建物ユニットに該浴室の防水パンおよび下地壁を取り付ける工程、
該下地壁に仕上材を取り付けていない状態で該建物ユニットを建設地に搬送する工程、
前記下地壁に前記仕上材を設けて浴室を完成させる工程を備えたことを特徴とする浴室の形成方法。
【請求項４】
建設地において前記浴室を完成させる工程で、前記仕上材としてタイルを設けることを特徴とする請求項３に記載の浴室の形成方法。
【請求項５】
建設地において前記浴室を完成させる工程は、搬送された前記浴室用建物ユニットを他の建物ユニットと接合した状態で行われることを特徴とする請求項３又は請求項４に記載の浴室の形成方法。
【請求項６】
建設地において前記浴室を完成させる工程で、前記仕上材を取り付ける前に前記下地壁と防水パンとの隙間を閉塞する水切部材を設けることを特徴とする請求項３〜請求項５のいずれか１項に記載の浴室の形成方法。
【請求項７】
前記水切部材の端部が下地壁と前記仕上材としてのタイルとの間に配置されるように前記タイルが設けられることを特徴とする請求項６に記載の浴室の形成方法。
【請求項８】
前記水切部材は、長尺方向の縁部で互いに屈曲接続された複数の板部を有し、一の板部が前記下地壁と前記タイルとの間に挟み込まれた状態で配置され、該板部の屈曲接続部分が前記下地壁に近接配置され、該板部と屈曲接続部分以外の前記水切部材の少なくとも一部が浴室内に露出するように、前記タイルを設けることを特徴とする請求項７に記載の浴室の形成方法。
【発明の詳細な説明】
【技術分野】
【０００１】
本発明は、建設地とは別の場所で製造された建物ユニットを建設地に複数個搬送および相互に接合して構築されるユニット建物の浴室の形成方法に関する。
【背景技術】
【０００２】
ユニット建物における浴室の形成方法としては、工場において防水パン、乾式の壁、天井からなるバスコアユニットを建物ユニットの内部に組み込んでしまうのが一般的である（例えば特許文献１参照）。
【先行技術文献】
【特許文献】
【０００３】
【特許文献１】特開２００７−３１５０８７号公報
【発明の概要】
【発明が解決しようとする課題】
【０００４】
しかし、このようなバスコアユニット自体は規格化された工業化製品であるため、顧客の趣向ニーズに個別具体的に対応することができない。
【０００５】
本発明は、上記問題点に着目してなされたもので、様々な顧客の趣向ニーズに対応できる浴室用建物ユニットおよび浴室の形成方法の提供を目的とする。
【課題を解決するための手段】
【０００６】
上記課題を解決するための本発明に係る浴室用建物ユニットは、建設地とは別の場所で製造され建設地に搬送され他の建物ユニットと接合されてユニット建物の構築に用いられる浴室用建物ユニットにおいて、浴室用建物ユニットに取り付けられた防水パンおよび下地壁を備え、前記下地壁には仕上材が取り付けられていないことを特徴とする。
【０００７】
また、上記課題を解決するための本発明に係る浴室の形成方法は、建設地とは別の場所で製造され建設地に搬送および他の建物ユニットと接合されて構築されるユニット建物の浴室の形成方法において、前記製造の段階で浴室用建物ユニットに該浴室の防水パンおよび下地壁を取り付ける工程、該下地壁に仕上材を取り付けていない状態で該建物ユニットを建設地に搬送する工程、前記下地壁に前記仕上材を設けて浴室を完成させる工程を備えたことを特徴とする。
【発明の効果】
【０００８】
本発明によれば、ユニット建物における浴室の仕様について顧客の様々な趣向ニーズに個別具体的に対応することができる。また、タイル等の仕上材を予め取り付けずに建設地へ浴室用の建物ユニットを搬送することから、搬送中の振動等で浴室用の建物ユニットが変形等してタイル等の仕上材やその取付状態がダメージを受ける問題が発生せず、搬送に起因したこれらの問題を排除することができる。
【図面の簡単な説明】
【０００９】
【図１】本発明に係る実施の形態のユニット建物を示す図である。
【図２】建設地へ搬送される浴室用の建物ユニットを部分断面した斜視図である。
【図３】図２の浴室用の建物ユニットの下面図である。
【図４】図３のＣ−Ｃ線に沿った浴室用の建物ユニットの断面を矢視方向で見た側面図である。
【図５】（ａ）〜（ｃ）は、浴室用の建物ユニットに用いられる防水パンを示す図である。
【図６】図５の防水パンを下地壁を設けた浴室用の建物ユニットに取り付ける工程を示す図である。
【図７】図６で取り付けた防水パンの境目に防水用の水切部材を取り付ける工程を示す図である（取付順序は矢印参照）。
【図８】図７で取り付けた水切部材の取付状態を図２の白抜矢印Ａの方向で見た図である。
【図９】図７で取り付けた水切部材を図２のＢ−Ｂ線に沿って断面して矢視方向で見た図である。
【図１０】浴室の出入口の下部周辺の取り合い構造を示す図である。
【図１１】（ａ）は、浴室の出入口周辺の横断面図である。（ｂ）は、（ａ）のＤ−Ｄ線に沿った縦断面を矢視方向で見た図である。（ｃ）は、（ａ）の白抜矢印Ｅの方向でみた浴室の正面図である。
【発明を実施するための形態】
【００１０】
以下、図１〜１１を参照しながら、本実施の形態の浴室用の建物ユニットおよび浴室の形成方法について説明する。
【００１１】
図１にユニット建物を示す。なお、図１では便宜的に浴室用の建物ユニット２のフレームのみを示している。
【００１２】
ユニット建物１は、建設地で浴室用の建物ユニット２とその他の建物ユニットを互いに接合して構築されるものである。浴室用の建物ユニット２は、建設地においてタイル等の仕上材が取り付けていない状態で接合され、その後に仕上材が取り付けられて浴室４が完成される。
【００１３】
浴室用の建物ユニット２は、他の建物ユニットと接合されることで安定性を増し、浴室用の建物ユニット２単体よりも変形しにくいものとなる。
【００１４】
図２に工場から建設地へ搬送される段階の浴室用の建物ユニット２を示す。なお、図２では、理解の便宜のために建設地で取り付けられる仕上材としてのタイル３が２点鎖線で示されている。
【００１５】
浴室用の建物ユニット２は、主として天井梁２A、床梁２B及び柱２Cからなるフレームと、この床梁２Bの枠内を閉塞するように設けられた床板５と、形成すべき浴室４の壁の一部をなし天井梁２A、床梁２B又は柱２Cに固定される下地壁６と、浴室４の床をなす防水パン７と、下地壁６と防水パン７との境目の隙間１２（図７参照）からの水漏れを防止するための水切部材８A、８Bと、防水パン７の排水口７Cに取り付けられた排水用のトラップ１１Aおよびエルボ１１B(図５参照)等とを有している。
【００１６】
浴室用の建物ユニット２のフレームは、軽量鉄骨の天井梁２A、床梁２B及び柱２Cが互いに溶接され箱形に形成されている。この床梁２Bには床小梁２Bａが横断方向に複数掛け渡されている（図３、図４参照）。
【００１７】
床板５は床梁２Bの枠内に嵌合され、複数の床小梁２Bａにより支持されている。この床板５は例えば脱衣所の床部となる。また、建設地へ搬送する前に床板５を取り付けるのは、浴室４の出入口４ａや下地壁６を設けるために、床板５と防水パン７との接続部分４ｂを予め形成しておく必要があることによる（図１０参照）。
【００１８】
下地壁６は、浴室用の仕上材が貼り付けられて浴室４の壁面を形成するものである。下地壁６は浴室用の建物ユニット２に柱２Cやその間柱２Cａに固定される（図１１（ａ）参照）。なお、浴室４の出入口４ａの部分には下地壁６が設けられない構成となっている（図１１（b）参照）。
【００１９】
下地壁６の材質としては、セメントモルタル、セメント系珪酸カルシウム板、石膏ボード、パーティクルボード、合板、硝子繊維で強化した熱硬化性樹脂層等を単独、もしくは適宜組み合わせて使用することができる。
【００２０】
そして、図３および図４、図６に示すように、下地壁６により囲われた状態で、まず防水パン７が設けられる。防水パン７は、図５に示すように、防水パン本体７Aと防水パン本体７Aを支える複数の脚部７Bとを有し、防水パン本体７Aには排水口７Cが設けられている。
【００２１】
防水パン７の脚部７Bは、図４に示すように、防水パン設置床板１５を介して浴室用の建物ユニット２の床小梁２Bａに対して固定されている。この防水パン設置用床板１５自体も建物ユニット２の床梁２Bや柱２Cに固定されており、これにより防水パン７の脚部７Bの横方向の位置ズレが防止される。この脚部７Bの固定により防水パン７が浴室用の建物ユニット２に固定されることとなる。
【００２２】
この状態で、防水パン本体７Aの床面７Aａは、床板５の表面５ａの高さ位置より低いものとなる。またこの固定の際に、防水パン７の傾斜調整を行うことができる。
【００２３】
図４に示すように、防水パン本体７Aの排水口７Cには、排水部材としての排水用のトラップ１１Aおよびエルボ１１Bが接続されている。また、防水パン設置用床板１５に形成された切欠から排水用のトラップ１１Aおよびエルボ１１Bが露出している。
【００２４】
また、この状態で、排水用のトラップ１１Aおよびエルボ１１Bは、浴室用の建物ユニット２の内側に収まった状態となっている。これにより、浴室用の建物ユニット２から排水用のトラップ１１Aおよびエルボ１１Bが突出せず、搬送の際に引っかけ等による破損を防止することができる。
【００２５】
一般的な防水パン７としては、防水パン７の縁部に浴室用面材としての壁パネルをはめ込み接続するための断面凹字状の嵌合部をフランジのように有しているものが知られているが、本実施の形態の防水パン７はこの嵌合部を有していない。これは、壁パネルの代わりにタイル３等の仕上材を下地壁６に貼り付けて面材として用いるためである。
【００２６】
そのため、防水パン７が設けられた状態で防水パン７と下地壁６との間に隙間１２が形成される。この状態のままでは、この隙間１２から漏水してしまうこととなるため、隙間１２を埋めるための水密材８Cや水切部材８A，８Bが設けられる。
【００２７】
水密材８Cは、図７，図９及び図１０に示すように、上記の隙間１２に設けられる。水密材８Cとしては、エプトシーラー等を用いることができる。
【００２８】
水切部材８A，８Bは、下地壁６と防水パン７との境目の隙間１２をシールして漏水を防止するためのものである。
【００２９】
水切部材は、図７〜図９に示すように、主としてL字形で複数の板部を有する水切部材８Bと、I字形で複数の板部を有する水切部材８Aにより構成される。水切部材８A，８Bは、長尺方向の縁部で互いに接続された複数の板部８Aａ，８Ab，８Acを有している。
【００３０】
水切部材８Aにより防水パン７の各辺部における下地壁６との隙間１２からの漏水が防止され、水切部材８Bにより防水パン７の各角部における下地壁６との隙間１２からの漏水が防止される。
【００３１】
図７は、水切部材８A，８Bの下地壁６および防水パン７への取り付ける手順を示している。
【００３２】
図７及び図９に示すように、略板状の水切部材８A，・・・・により下地壁６と防水パン７と隙間１２を覆うように両者に掛け渡して両者間の隙間１２をシールする。
【００３３】
次に、図8に示すように、防水パン７の角部で交差するように突き合わされた水切部材８A，８Aの一方の端部と他方の端部を覆うようにＬ字形の水切部材８Bが設けられる。
【００３４】
これにより、水切部材８A，８Aの端部において形成されるわずかな隙間がシールされることとなる。また、板部８Aａと板部８Abの接続部分や板部８Bａと板部８Bbの接続部分の各角部が下地壁６に近接配置される。そして、釘１０等の固定部材により略板状の水切部材８A，８Bを下地壁６と防水パン７とにそれぞれ固定される。
【００３５】
一方、浴室４の出入口４ａにおける取合構造については、図10及び図11に示すように、床板５の面や防水パン７の縁部の内面と面一となるように折戸１３が設けられ、この部分の隙間１２がシールされる。
【００３６】
そして、この状態の浴室用の建物ユニット２が、包装されてトラック等の荷台に積み込みされて、建設地に搬送される。
【００３７】
建設地に搬送された浴室用の建物ユニット２は、ユニット建物１の基礎コンクリート（図示省略）に固定され、他の建物ユニットと接合され、ユニット建物１が構築される（図１参照）。
【００３８】
次に、建設地において、図２において２点鎖線で示すようにタイル３等の仕上材を貼り付けていく。
【００３９】
具体的には、図９において２点鎖線で示すように、水切部材８A，８Bの板部８Aａ，８Bａを下地壁６との間に挟み込むようにタイル３を配置した後、タイル３が下地壁６に対してセメントモルタルや接着剤等の固着剤１４により接着する。
【００４０】
このとき、水切部材８A，８Bの部分のうち、少なくとも一部が浴室４の内側に露出するようにタイル３が設けられる。タイル３の設置後、任意に別体のバスタブ等を防水パン７に対して設ける等、その他の部分を施工して浴室４を完成させる。
【００４１】
以下、本発明に係る実施の形態の浴室用の建物ユニット２および浴室の形成方法の作用、効果を説明する。
（１）上述のような構成によれば、工場から建設地へ搬送した後に下地壁６に対して仕上材を取り付けるので、ユニット建物１における浴室の仕様について顧客の様々な趣向ニーズに個別具体的に対応することができる。一般の浴室用の建物ユニットにあるように規格化された浴室の仕様に拘泥されずに、顧客の意思に従って浴室壁面の形態を自由に変化させることができる。
【００４２】
例えば、実際の浴室内への光の差し込み具合で仕上材の色彩がカタログ等で見た色合いと異なっても調整することができる。
（２）タイル３等の仕上材による仕上作業は時間を要し、また工場では建物ユニットを移動させながら作業することとなるため、工場での製造には適していない。この仕上作業を建設地で行うことにより、工場でこれらの仕上作業をする必要がなくなり、工場での作業効率が高まる。
（３）工場で予めタイル３等の仕上材を浴室用の建物ユニットに取り付けてしまうと、建物ユニットを建設地へ搬送している際の振動等により、タイル３等の仕上材やその接着部分に微細な亀裂等が生じて仕上材の取付状態がダメージを受けるおそれがある。
【００４３】
これは、タイルの場合では後にタイル等が剥落する原因となり得る。またサイディングの場合には、シーリングの劣化につながる。本発明に係る実施の形態によれば、タイル３等の仕上材を浴室用の建設地で後に取り付けるので、このような問題が生じることはない。
（４）さらに、浴室４の仕上作業を浴室用の建物ユニット２をその他の建物ユニットに接合して構造的に安定させた状態で行うことから、浴室用の建物ユニット２単体の状態で仕上作業を行う場合のように歪みが生じにくく、これによっても、一度取り付けた仕上材の取付状態がダメージを受けにくいものとなる。
（５）一般的なバスコアユニットでは、壁パネルの端部が防水パンの縁部に設けられたパネル設置用の嵌合部に圧入されて、防水パンと略面一に連続した状態で壁パネルが取り付けられるが、本実施の形態では、タイル３等の仕上材を壁パネルの代わりに用いることから、仕上材と防水パン７との間に隙間１２が形成されるため上記連続接続ができず、この隙間１２からの漏水が問題となる。
【００４４】
ここで、防水パン７と下地壁６との隙間１２にエプトシーラー等の水密材８Cや水切部材８A，８Bを設けることで、漏水の防止がなされ、建物ユニットでもタイル３等の仕上材を用いることが可能となる上に、水切部材８A，８Bが仕上材の支持部材として機能する。
（６）また、一度設置した浴室４の模様替え等をする際には仕上材を剥がすこととなるが、仕上材がタイル３等のように、ある程度の硬さを有するものの場合、図９に示すように、水切部材８Aの端部がタイル３の裏側の下地壁６とタイル３との間に配置された状態で取り付けられていることから、この水切部材８A，８Bを用いてテコの原理でタイル３を簡単に剥がすことができる。
（７）防水パン７に接続した排水用のトラップ１１Aおよびエルボ１１Bが浴室用の建物ユニット２の内側に収まった状態となっていることにより、浴室用の建物ユニット２から排水用のトラップ１１Aおよびエルボ１１Bが突出せず、包装や搬送の際に引っかけ等による破損を防止することができる。
【００４５】
以上、本発明の浴室用の建物ユニット２および浴室の形成方法を実施の形態に基づき説明してきたが、具体的な構成については、これに限られるものではなく、特許請求の範囲の各請求項に係る発明の要旨を逸脱しない限り、設計の変更や追加等は許容される。
【００４６】
例えば、タイル３の施工方法については、湿式でも乾式でもとちらでもよい。
【００４７】
また、実施の形態では天井梁２A、床梁２B又は柱２Cを有している建物ユニットを用いたが、天井梁２A、床梁２B又は柱２Cを有していないものを用いてもよい。
【００４８】
設置直後の防水パン７は略タイル厚の分だけ下地壁６の内側面から離間している必要があるため、防水パン７を設置する際には位置決めされている必要があるが、この位置決めに防水パン設置用床板を用いても良い。
【００４９】
この場合、例えば、防水パン設置用床板に基点目印と脚部設置用目印を設け、基点目印を指標に防水パン設置用床板を床小梁の所定位置に固定するとともに、固定した防水パン設置用床板15に防水パンの脚部を固定する。
【符号の説明】
【００５０】
１     ユニット建物
２     浴室用の建物ユニット
３     タイル
４     浴室
５     床板
６     下地壁
７     防水パン
７A    防水パン本体
８A，８A      水切部材
１２   隙間
【図１】
0005771492.tif 000002
【図２】
0005771492.tif 000003
【図３】
0005771492.tif 000004
【図４】
0005771492.tif 000005
【図５】
0005771492.tif 000006
【図６】
0005771492.tif 000007
【図７】
0005771492.tif 000008
【図８】
0005771492.tif 000009
【図９】
0005771492.tif 000010
【図１０】
0005771492.tif 000011
【図１１】
0005771492.tif 000012